(57)【特許請求の範囲】
【請求項１】
山側の斜面に立設された複数の支柱と、前記複数の支柱に亘って張設された主ネット体とを備えた防護柵において、
前記主ネット体は、略矩形の網目を有する粗目ネットと、前記粗目ネットよりも細かい略矩形の網目を有する細目ネットとを重ねたものであり、前記粗目ネット及び前記細目ネットは、共に化学繊維製の網ロープを編み込んで形成され、
前記主ネット体は、その上側領域が前記支柱の側面に取り付けられ、前記上側領域から連続する下側領域が前記斜面側に折り込まれて複数のアンカーで地面に固定され、この状態で、前記主ネット体の前記上側領域は、前記細目ネットが前記斜面側に配され、前記粗目ネット及び前記細目ネットの少なくとも一方の網目を形成した網ロープの方向が、水平方向に対して斜めになるように張設されていることを特徴とする防護柵。
【請求項２】
前記主ネット体の前記上側領域の上端部が、互いに隣接する前記支柱の上側部同士の間に所定の張力で架設された上ワイヤによって支持されている請求項１記載の防護柵。
【請求項３】
前記複数の支柱に亘って正面ネット体が張設され、
前記正面ネット体は、略矩形の網目を有する正面粗目ネットと、前記正面粗目ネットよりも細かい略矩形の網目を有する正面細目ネットとを重ねたものであり、前記正面粗目ネット及び正面細目ネットは、共に化学繊維製の網ロープを編み込んで形成され、
前記正面ネット体は、前記支柱の側面に取り付けられ、この状態で、前記正面細目ネットが前記斜面側に配され、前記正面粗目ネット及び前記細目ネットの少なくとも一方の網目を形成した網ロープの方向が、水平方向に対して斜めになるように張設され、前記主ネット体の上側領域が前記複数の支柱間に亘り前記正面ネット体と重なり合う請求項１記載の防護柵。
【請求項４】
前記主ネット体の前記上側領域の上端部又は前記正面ネット体の上端部が、互いに隣接する前記支柱の上側部同士の間に所定の張力で架設された上ワイヤによって支持されている請求項３記載の防護柵。
【請求項５】
端位置の前記支柱が、他の前記支柱よりも前記斜面寄りの位置に立設されている請求項１乃至４の何れか記載の防護柵。
【請求項６】
端位置の前記支柱から前記斜面に向けて、外形が他の部材から独立したサイドネット体が張設され、
前記サイドネット体は、略矩形の網目を有するサイド粗目ネットと、前記サイド粗目ネットよりも細かい略矩形の網目を有するサイド細目ネットとを重ねたものであり、前記サイド粗目ネット及び前記サイド細目ネットは、共に化学繊維製の網ロープを編み込んで形成され、
前記サイドネット体は、前記サイド細目ネットを内側に配して張設され、その地面側部分が複数のアンカーで地面に固定されている請求項１乃至５の何れか記載の防護柵。
【発明の詳細な説明】
【技術分野】
【０００１】
この発明は、山間地等の道路等の山側の位置に構築し、落石、土砂崩れ、雪崩等を受け止める防護柵に関する。
【背景技術】
【０００２】
従来から、山腹の斜面部等に構築して落石等を受け止めて道路等への落下、流入を阻止する防護柵として、複数の支柱に亘ってネット体を張設した防護柵が知られている。例えば、特許文献１に開示されているように、隣接する支柱間に上ロープ材と下ロープ材とを架設し、各ロープ材の間に網体を設け、網体の上下端部を複数の緩衝具により上下ロープ材に連結した防護柵がある。この防護柵は、落石等の衝撃力を受けると網体が変形するとともに、網体から力が伝わる上下ロープ材が変形し、緩衝具により衝撃力を吸収するので、支柱に加わる力を軽減することができる。
【先行技術文献】
【特許文献】
【０００３】
【特許文献１】特開２０１０−１６７９号公報
【発明の概要】
【発明が解決しようとする課題】
【０００４】
しかし、特許文献１の防護柵の場合、落石や土砂等を受けた際に網体が大きく変形し、網体の下端部と地面との間に隙間が生じるので、その隙間から土砂等の一部がすり抜けてしまうという問題があった。
【０００５】
この発明は、上記背景技術に鑑みて成されたものであり、衝撃吸収性が高く、落石や土砂等を確実に受け止めることができる防護柵を提供することを目的とする。
【課題を解決するための手段】
【０００６】
この発明は、山間地等の山側の斜面に立設された複数の支柱と、前記複数の支柱に亘って張設された主ネット体とを備えた防護柵であって、前記主ネット体は、化学繊維製の網ロープを編み込んで形成され、その上側領域が前記支柱の側面に取り付けられ、前記上側領域から連続する下側領域が斜面側に折り込まれて複数のアンカーで地面に固定されている。
【０００７】
前記主ネット体は、略矩形の網目を有する粗目ネットと、前記粗目ネットよりも細かい略矩形の網目を有する細目ネットとを重ねたものであり、前記主ネット体の前記上側領域は、前記細目ネットが斜面側に配され、前記粗目ネット及び前記細目ネットの少なくとも一方の網目を形成した網ロープの方向が、水平方向に対して斜めになるように張設されている。また、前記主ネット体の前記上側領域の上端部が、互いに隣接する前記支柱の上側部同士の間に所定の張力で架設された上ワイヤによって支持されている。
【０００８】
さらに、前記複数の支柱に亘って正面ネット体が張設され、前記正面ネット体は、化学繊維製の網ロープを編み込んで形成され、前記支柱の側面に取り付けられ、前記主ネット体の上側領域は、前記複数の支柱間に亘り前記正面ネット体と重なり合って前記支柱の側面に取り付けられている。この場合、前記正面ネット体は、略矩形の網目を有する正面粗目ネットと、前記正面粗目ネットよりも細かい略矩形の網目を有する正面細目ネットとを重ねたものであり、前記正面細目ネットが斜面側に配され、前記正面粗目ネット及び前記細目ネットの少なくとも一方の網目を形成した網ロープの方向が、水平方向に対して斜めになるように張設されていることが好ましい。
【０００９】
また、前記主ネット体の前記上側領域の上端部又は前記正面ネット体の上端部が、互いに隣接する前記支柱の上側部同士の間に所定の張力で架設された上ワイヤによって支持されていることが好ましい。
【００１０】
また、端位置の前記支柱が、他の前記支柱よりも前記斜面寄りの位置に立設されているものでも良い。あるいは、端位置の前記支柱から斜面に向けて、外形が他の部材から独立したサイドネット体が張設され、前記サイドネット体は、化学繊維製の網ロープを編み込んで形成され、その地面側部分が複数のアンカーで地面に固定されているものでも良い。この場合、前記サイドネット体は、略矩形の網目を有するサイド粗目ネットと、前記サイド粗目ネットよりも細かい略矩形の網目を有するサイド細目ネットとを重ねたものであり、前記サイド細目ネットが内側に配されている。前記サイド粗目ネット及び前記サイド細目ネットの少なくとも一方の網目を形成した網ロープの方向が、水平方向に対して斜めになるように張設されている。
【発明の効果】
【００１１】
この発明の防護柵は、構成が簡単で安価に施工可能であり、落石等を受けた際、主ネット体と地面との間に隙間が生じることがなく、落石等を確実に受け止めることができる。また、柔軟な化学繊維製の主ネット体の使用により、高い衝撃吸収性を得ることができる。
【００１２】
正面ネット体を設けることによって、主ネット体を補強することができる。さらに、端位置の支柱を斜面寄りの位置に配置したり、所定のサイドネット体を設けたりすることによって、主ネット体の正面で受け止めた土砂等が、側端からずり落ちるのを防止できる。
【００１３】
主ネット体、正面ネット体、サイドネット体として、所定の粗目及び細目ネットを重ねたネット体を使用することによって、小さな小石等でも確実に受け止めることができる。特に、斜面側の細目ネットが受けた衝撃力を、粗目ネットを通じて分散される効果があるので、化学繊維製の網ロープを編み込んで形成されたネットであっても高強度で、全体として効率よく衝撃を吸収できる。
【図面の簡単な説明】
【００１４】
【図１】この発明の第一実施形態の防護柵を示す平面図（ａ）、正面図（ｂ）である。
【図２】第一実施形態の防護柵を示す左側面図である。
【図３】第一実施形態の防護柵のＡ−Ａ断面の模式図（ａ）、Ｃ部の拡大模式図（ｂ）である。
【図４】第一実施形態の防護柵の粗目ネットと細目ネットを説明する模式図である。
【図５】第一実施形態の防護柵のＢ−Ｂ断面の模式図（ａ）、Ｄ部の拡大模式図（ｂ）である。
【図６】第一実施形態の防護柵の各ネット体の記載を省略した部分背面図（ａ）、部分平面図（ｂ）である。
【図７】図６のＥ部の構造を説明する拡大背面図（ａ）、拡大平面図（ｂ）である。
【図８】図６のＧ部の構造を説明する拡大背面図である。
【図９】この発明の第二実施形態の防護柵を示す平面図（ａ）、正面図（ｂ）である。
【図１０】第二実施形態の防護柵を示す左側面図である。
【図１１】この発明の第三実施形態の防護柵を示す平面図（ａ）、正面図（ｂ）である。
【図１２】第三実施形態の防護柵のＩ−Ｉ断面の模式図（ａ）、Ｊ部の拡大模式図（ｂ）である。
【発明を実施するための形態】
【００１５】
この発明の防護柵の第一実施形態について、図１〜図８に基づいて説明する。この実施形態の防護柵１０は、山間地等の道路や線路等の山側の位置に設けられ、落石、土砂崩れ、雪崩等が発生し得る危険箇所に沿って設置される。防護柵１０は、図１、図２に示すように、山側の斜面１２の下流側の平地面１４に、所定の間隔を置いて立設された４本の支柱１６，１８，２０，２２を備えている。支柱１６〜１８は、一端が平地面１４に深く打ち込まれ、他端が平地面１４から突出している。ここでは、一例として各支柱の突出高さは約３ｍであり、約４ｍの間隔を空けてほぼ直線的に配置されている。
【００１６】
互いに隣接する支柱同士の間に、それぞれ主ネット体２４，２６，２８が取り付けられている。主ネット体２４は外形が略矩形であり、ここでは、縦寸法が支柱の突出高さよりも長い約４ｍに、横寸法が各支柱の間隔に合わせて約４ｍに形成されている。支柱１６，１８の間に張り渡されているのは、主ネット体２４の縦方向の約３ｍの部分（以下、上側領域２４ａと称す。）である。上側領域２４ａから連続する残り約１ｍの部分（以下、下側領域２４ｂと称す。）は、斜面１２の側にＬ字状に折り込まれ、複数のアンカー３０を用いて地面である斜面１２又は平地面１４に固定されている。
【００１７】
主ネット体２４は、図３に示すように、粗目ネット３２と細目ネット３４とを重ねて構成されている。粗目ネット３２は、図４に示すように、紫外線等に対する耐候性を有したポリエチレン等の柔軟な化学繊維製の網ロープを略矩形の網目に編み込んで形成され、落石等を受けた際の衝撃吸収性を高めることを重視し、網目が粗くなっている。一方、細目ネット３４は、同様のポリエチレン等の化学繊維製の網ロープを略矩形の網目に編み込んで形成され、網目を小石等が通過するのを阻止することを重視し、粗目ネット３２よりも網目が細かくなっている。主ネット体２４ａを支柱１６，１８の間に張り渡すときは、細目ネット３２が斜面１２の側に配されている。粗目ネット３２と細目ネット３４の網目を形成した網ロープの方向は、水平方向に対して斜めになるように各粗目ネット３２及び細目ネット３４が張設されている。
【００１８】
主ネット体２６も、主ネット体２４と同様の構成を有し、支柱１８，２０の間に上側領域２６ａが張り渡され、細目ネット３４が斜面１２の側に配されている。また、下側領域２６ｂが斜面１２の側にＬ字状に折り込まれ、複数のアンカー３０を用いて地面（斜面１２又は平地面１４）に固定されている。
【００１９】
主ネット体２８も、主ネット体２４と同様の構成を有し、支柱２０，２２の間に上側領域２８ａが張り渡され、細目ネット３４が斜面１２の側に配されている。また、下側領域２８ｂが斜面１２の側にＬ字状に折り込まれ、複数のアンカー３０を用いて地面（斜面１２又は平地面１４）に固定されている。
【００２０】
さらに防護柵１０は、図１、図２に示すように、端位置の支柱１６，２２から斜面１２に向けて、サイドネット体３６，３８が張設されている。サイドネット体３６は、ここでは外形が略矩形であり、縦寸法が支柱の突出高さよりも長い約４ｍに、横寸法が支柱１６の上側部１６ａから斜面１２までを略水平に結ぶ間隔に合わせて約５ｍに形成されている。支柱１６と斜面１２との間に張り渡されているのは、サイドネット体３６の縦方向の約３ｍの台形状領域（以下、上側領域３６ａと称す。）である。上側領域３６ａから連続する残りの領域（以下、地面側領域３６ｂと称す。）は、内側にＬ字状に折り込まれ、複数のアンカー４０を用いて地面（斜面１２又は平地面１４）に固定されている。
【００２１】
サイドネット体３６は、図５に示すように、サイド粗目ネット４２とサイド細目ネット４４とを重ねて構成されている。サイド粗目ネット４２は、柔軟な化学繊維製の網ロープを略矩形の網目に編み込んで形成され、落石等を受けた際の衝撃吸収性を高めることを重視し、網目が粗くなっている。ここでは、図４の粗目ネット３２と同様の網目サイズになっている。一方、サイド細目ネット４４は、化学繊維製の網ロープを略矩形の網目に編み込んで形成され、網目を小石等が通過するのを阻止することを重視し、サイド粗目ネット４２よりも網目が細かくなっている。ここでは、図４の細目ネット３４と同様の網目サイズになっている。サイドネット体３６を張り渡すときは、サイド細目ネット４４が内側に配されている。
【００２２】
サイドネット体３８も、サイドネット体３６と同様の構成を有し、支柱２２から斜面１２に向けて、上側領域３８ａが張り渡され、サイド細目４４が内側に配されている。また、地面側領域３８ｂが内側にＬ字状に折り込まれ、複数のアンカー４０を用いて地面（斜面１２又は平地面１４）に固定されている。
【００２３】
サイドネット体３６の上側領域３６ａと主ネット体２４の上側領域２４ａとが交差する角度は、斜面を流下する落石等が防護柵１０の内側に入り易いようにするため、直角又はやや外側に広がった鈍角に設定することが好ましい。サイドネット体３８の上側領域３８ａと主ネット体２８の上側領域２８ａとが交差する角度についても、同様である。
【００２４】
次に、主ネット体２４、サイドネット体３６を支柱１６，１８に取り付ける構造について説明する。図６（ａ）は、施工後の防護柵１０における支柱１６，１８の部分を斜面側から見た図であって、各ネット体の記載を省略した図である。
【００２５】
支柱１８の上側部１８ａには、図７（ａ），（ｂ）に示すように、斜面１２に対向する側面の位置に、矩形の第一プレート４６が固着されている。なお、図７（ａ）では、説明の便宜のため、後述する押さえプレート４８と固定ボルト５０が省略してある。第一プレート４６には、斜面１２側の面の上寄りの位置に一対の長ネジ５２ａ，５２ｂが立設され、下寄りの位置にも一対の長ネジ５２ｃ，５２ｄが立設されている。また、第一プレート４６の反対側の面の上寄りの位置には、一対の長ネジ５４ａ，５４ｂが立設されている。他の支柱１６，２０，２２の上側部１６ａ．２０ａ，２２ａにも、同様の第一プレート４６が設けられている。
【００２６】
支柱１８の下端部１８ｂには、図８に示すように、斜面１２に対向する側面の位置に、矩形の第二プレート５６が固着されている。なお、図８においても、後述する押さえプレートと固定ボルトの記載が省略してある。第二プレート５６には、斜面１２側の面の上寄りの位置に一対の長ネジ５８ａ，５８ｂが立設され、下寄りの位置にも一対の長ネジ５８ｃ，５８ｄが立設されている。また、第二プレート５６の反対側の面の下寄りの位置には、一対の長ネジ６０ａ，６０ｂが立設されている。他の支柱１６，２０，２２の下端部１６ｂ，２０ｂ，２２ｂにも、同様の第二プレート５６が設けられている。
【００２７】
支柱１６と支柱１８の間には、例えばステンレス線などの断線しにくい強い金属ワイヤ６２が架設されている。図６〜図８に示すように、金属ワイヤ６２は、複数のワイヤクリップ等を用いて両端を輪にする処理がなされ、一端が支柱１８の下端部１８ｂの長ネジ６０ｂに差し込まれ、支柱１８の上側部１８ａの長ネジ５４ｂ、支柱１６の上側部２０ａの長ネジ５４ａを経由して、他端が支柱１６の下端部１６ｂの長ネジ６０ａに差し込まれ、所定の強い張力でコの字状に張られている。そして、支柱１８の長ネジ６０ｂ，５４ｂ、支柱１６の長ネジ５２ａ，６０ａに大径の固定ナット５０を締め付け、金属ワイヤ６２が外れないようになっている。以下、金属ワイヤ６２のコの字状の３辺について、支柱１８の上側部１８ａと下端部１８ｂの間にある部分を縦金属ワイヤ６２（１）、支柱１８の上側部１８ａと支柱１６の上側部１６ａの間にある部分を上金属ワイヤ６２（２）、支柱１６の上側部１６ａと下端部１６ｂの間にある部分を縦金属ワイヤ６２（３）と称する。
【００２８】
支柱１８の上側部１８ａと下端部１８ｂとの間には、例えば化学繊維製の太いロープである縦ロープ６４が架設されている。縦ロープ６４は、両端を輪にする処理がなされ、一端が下端部１８ｂの長ネジ５８ｂに差し込まれ、他端が上側部１８ａの長ネジ５２ｄに差し込まれ、所定の強い張力で張られている。
【００２９】
支柱１８の上側部１８ａと支柱１６の上側部１６ａとの間にも、例えば化学繊維製の太いロープ材である上ロープ６６が架設されている。上ロープ６６は、両端を輪にする処理がなされ、一方の輪が上側部１８ａの長ネジ５２ｂに差し込まれ、他方の輪が支柱１６の上側部１６ａの長ネジ５２ａに差し込まれ、所定の強い張力で張られている。
【００３０】
支柱１６の上側部１６ａと下端部１６ｂとの間にも、縦ロープ６４と同様の縦ロープ６８，７０が架設されている。縦ロープ６８は、一端が上側部１６ａの長ネジ５２ｃに差し込まれ、他端が支柱１６の下端部１６ｂの長ネジ５８ａに差し込まれ、所定の強い張力で張られている。縦ロープ７０は、一端が上側部１６ａの長ネジ５２ｄに差し込まれ、他端が下端部１６ｂの長ネジ５８ｂに差し込まれ、所定の強い張力で張られている。
【００３１】
そして、縦ロープ６４，６８，７０、上ロープ６６が架設された後、図７（ｂ）に示すように、長ネジ用貫通孔４８ａが開口した押さえプレート４８を第一プレート４６及び第二プレート５６に対向させ、長ネジ用貫通孔４８ａから突出した各長ネジ（支柱１８の長ネジ５２ｂ，５２ｄ，５８ｂ、支柱１６の長ネジ５２ａ、５２ｃ，５８ａ）に固定ナット５０を締め付け、縦ロープ６４，６８，７０、上ロープ６６が外れないようになっている。
【００３２】
上述した第一及び第二プレート４６，５６等の固定具、金属ワイヤ６２、縦ロープ６４，６８，７０及び上ロープ６６は、主ネット体２４及びサイドネット体３６を支柱１６，１８に張設するための補助的な部材であり、実際の張設作業は、例えば次の手順で行うことができる。あらかじめ第一及び第二プレート４６，５６を支柱１６，１８に取り付けておき、支柱１６，１８を打ち込んで立設させた後、金属ワイヤ６２を架設する。縦ロープ６４，６８及び上ロープ６６は、あらかじめ主ネット体２４の端部に編み込んでおき、まず、上ロープ６６を、図示しない複数のフック金具等を用いて上金属ワイヤ６２（２）に支持させ、両端の輪を支柱１６，１８に取り付ける。次に、主ネット体２４の一端に編み込んだ縦ロープ６４を支柱１８に取り付け、主ネット体２４の上側領域２４ａを左右に広げ、主ネット体２４の他端に編み込んだ縦ロープ６８を支柱１６に取り付ける。そして、縦ロープ６４，６８を図示しないフック金具等を用いて縦金属ワイヤ６２（１），６２（３）に取り付ける。その後、下側領域２４ｂを斜面１２の側に折り込んで、複数のアンカー３０で斜面１２又は平地面１４に固定する。
【００３３】
さらに、縦ロープ７０は、あらかじめサイドネット体３６の端部に編み込んでおき、支柱１６に取り付ける。次に、上側領域３６ａを斜面１２の方向に広げ、その上端部の斜面１２側の部分をアンカー４０で斜面４０に固定する。そして、縦ロープ７０を複数のフック金具等を用いて縦金属ワイヤ６２（３）に取り付ける。その後、地面側領域３６ｂを内側に折り込んで、複数のアンカー４０で地面（斜面１２又は平地面１４）に固定する。
【００３４】
この構造によれば、主ネット体２４の上側領域２４ａを、上金属ワイヤ６２（２）と上ロープ６６とで成る上ロープ７２によって支持するので、主ネット体２４の施工が容易であり、上金属ワイヤ６２（２）の強い張力により上端の垂れが防止され、柵としての高さが確保され、見た目もよい。
【００３５】
また、主ネット体２４及びサイドネット体２６の上側領域２４ａ，３６ａの縦方向の端部が、強い張力で張られた縦金属ワイヤ６２（１）、６２（３）に取り付けられるので、落石や土砂等を受けて各ネット体が変形しても、各ネット体と支柱１６，１８との間に隙間が生じにくい。ただし、縦方向の端部に隙間が全く発生しないようにしたいときは、縦方向の端部を別ロープで支柱１６，１８自体に縛り付けるとよい。また、支柱１６，１８を挟んで隣に張設される各ネット体２４，２６，３６を、複数の支柱１６，１８等に亘って張設される切れ目のない大きなネット体で一体に構成してもよい。
【００３６】
他の主ネット体２６，２８及びサイドネット体３８を支柱２８，２０，２２に取り付ける構造についても、上述した主ネット体２４及びサイドネット体３６の場合と同様である。
【００３７】
以上説明したように、この実施形態の防護柵１０は、構成が簡単で安価に施工可能であり、落石等を受けた際、各ネット体２４，２６，２８，３６，３８と地面との間に隙間が生じるのを防止し、落石等を確実に受け止めることができる。また、サイドネット体３６，３８により、主ネット体２４，２８で受け止めた土砂等が側端からずり落ちるのを防止することができる。
【００３８】
さらに、各ネット体２４，２６，２８，３６，３８として、柔軟な化学繊維製のネット体を使用し、かつ、網目が粗い粗目ネット３２，４２に網目が細かい細目ネット３４，４４を重ねたネット体を使用しているので、小さな小石等でも確実に受け止めることができる。しかも、粗目ネット３２，４２よりも相対的に変形量が少ない細目ネット３４，４４が受けた衝撃力も、粗目ネット３２，４２を通じて分散される効果があるので、ネット全体として効率よく衝撃を吸収できる。また、各ネット体の各上側領域を張設する際、矩形の網目の何れかの対角線が略水平になるように取り付けてあるので、ネット体の局部に受けた衝撃力が網体全体に伝搬分散しやすい。
【００３９】
次に、この発明の防護柵の第二実施形態について、図９、図１０に基づいて説明する。ここで、第一実施形態の防護柵１０と同様の構成は、同一の符号を付して説明を省略する。この実施形態の防護柵７４は、図９、図１０に示すように、山側の斜面１２の下方の平地面１４に、所定の間隔を置いて立設された６本の支柱７６，１６，１８，２０，２２，７８を備えている。個々の支柱の構造は、上記の防護柵１０の支柱１６〜２２と同様である。新たな支柱７６は、支柱１６の外側にある端位置の支柱であり、支柱１６〜２２よりも斜面１２寄りの位置に立設されている。新たな支柱７８は、支柱２２の外側にある端位置の支柱であり、支柱１６〜２２よりも斜面１２寄りの位置に立設されている。
【００４０】
互いに隣接する支柱同士の間には、それぞれ主ネット体８０，２４，２６，２８，８２が取り付けられている。主ネット体２４〜２８は、上記の防護柵１０のものと同様の構成であり、新たな主ネット体８０，８２についても、横寸法を除いて同様の構成となっている。主ネット体２４〜２８は、横寸法が一律に約４ｍであるが、主ネット体８０，８２は、支柱１６，７６の間隔、又は支柱２２，７８の間隔に合わせ、横寸法が約３ｍに形成されている。主ネット体８０が支柱１６，７６の間に張り渡されるのは、縦方向の約３ｍの部分（以下、上側領域８０ａと称す。）であり、上側領域７８ａから連続する残り約１ｍの部分（以下、下側領域８０ｂと称す。）が内側に折り込まれ、他の下側領域２４ｂ〜２８ｂと同様に、複数のアンカー３０を用いて地面に固定されている。また、主ネット体８２が支柱２２，７８の間に張り渡されるのは、縦方向の約３ｍの部分（以下、上側領域８２ａと称す。）であり、上側領域８２ａから連続する残り約１ｍの部分（以下、下側領域８２ｂと称す。）が内側に折り込まれ、他の下側領域２４ｂ〜２８ｂと同様に、複数のアンカー３０を用いて地面に固定されている。
【００４１】
主ネット体８０を支柱７６，１６の間に張設する構造や、主ネット体８２を支柱２２，７８の間に張設する構造などは、他の主ネット体２４〜２８と同様である。
【００４２】
この実施形態の防護柵７４は、主ネット体８０，８２により、主ネット体２４，２８で受け止めた土砂等が側端からずり落ちるのを防止することができる。上記の防護柵１０の場合、サイドネット体３６，３８が同様の役割を果たしているが、防護柵７４のように主ネット体８０，８２が支柱の間にしっかりと張設される構造にすることによって、柵の側端からずり落ちる土砂等を受け止める面の強度を向上させることができる。防護柵７４の構造は、平地面１４の長さ（図１０における左右方向の長さ）が長い場合に好適である。
【００４３】
次に、この発明の防護柵の第三実施形態について、図１１、図１２に基づいて説明する。ここで、第一実施形態の防護柵１０と同様の構成は、同一の符号を付して説明を省略する。この実施形態の防護柵８６は、支柱１６，１８，２０，２２と斜面１２とに亘って主ネット体２４，２６，２８及びサイドネット体３６，３８が張設されている点で図１の防護柵１０と同様であるが、さらに、主ネット体２４，２６，２８における上側領域２４ａ，２６ａ，２８ａの外側に重なる正面ネット体８８，９０，９２が新たに設けられている点で構成が異なる。
【００４４】
正面ネット体８８の外形は略矩形であり、ここでは、縦寸法が支柱の突出高さと略等しい約３ｍに、横寸法が各支柱の間隔に合わせて約４ｍに形成され、支柱１６，１８の間に張り渡されている。正面ネット体８８は、図１２に示すように、正面粗目ネット９４と正面細目ネット９６とを重ねて構成されている。正面粗目ネット９４は、柔軟な化学繊維製の網ロープを略矩形の網目に編み込んで形成され、落石等を受けた際の衝撃吸収性を高めることを重視し、網目が粗くなっている。ここでは、図４の粗目ネット３２と同様の網目サイズになっている。一方、正面細目ネット９６は、化学繊維製の網ロープを略矩形の網目に編み込んで形成され、網目を小石等が通過するのを阻止することを重視し、正面粗目ネット９４よりも網目が細かくなっている。ここでは、図４の細目ネット３４と同様の網目サイズになっている。正面ネット体８８を張り渡すときは、正面細目ネット９６を斜面１２の側に配されている。他の正面ネット体９０，９２の構成も、正面ネット体８８と同様である。
【００４５】
主ネット体２４，２６，２８は、図１の防護柵のものに比べ、上側領域２４ａ，２６ａ，２８ａの縦寸法（高さ）が１／３〜１／２程度に短く（低く）なっており、正面ネット体８８，９０，９２の下端寄りの領域と重なっている。
【００４６】
正面ネット体８８を支柱１６，１８に取り付ける場合、図６〜図８で説明した取り付け構造を利用することができる。例えば、縦ロープ６４，６８及び上ロープ６６を、正面ネット体８８の側端部及び上端部に編み込んでおき、支柱１６，１８に取り付けた第一及び第二プレート４６，５６に取り付け、金属ワイヤ７２で支持する。さらに、上ロープ６６と同構造の下ロープを正面ネット体８８の下端部に編み込んでおき、下ロープを支柱１６，１８の各第二プレート５６間に取り付けるとよい。また、支柱１６，１８を挟んで隣に張設される各ネット体８８，９０，３６を、切れ目のない大きなネット体で一体に構成してもよい。
【００４７】
主ネット体２４の上側領域２４ａは、張設された正面ネット体８８に重ねて取り付ければよく、例えば、縦方向の端部を別ロープで支柱１６，１８に縛り付ける方法が考えられる。他の正面ネット体９０，９２及び主ネット体２６，２８を支柱２８，２０，２２に取り付ける構造は、上述した正面ネット体８８及び主ネット体２４の場合と同様である。
【００４８】
この実施形態の防護柵８６は、上記の防護柵１０と同様の作用効果を得ることができ、さらに、正面ネット体８８〜９２を設けることによって、最も落石等の衝撃を受けやすい領域、すなわち、主ネット体２４〜２８の上側領域２４ａ〜２８ａの下端寄りの領域を補強することができる。ここで、防護柵８６は、上側領域２４ａ〜２８ａの縦寸法をできるだけ短くし、使用するネット部材の面積を小さくすることによってコストダウンを図っているが、例えば、上側領域２４ａ〜２８ａが正面ネット体８８〜９２の全領域と重なるようにして、補強される範囲を広くしても構わない。
【００４９】
なお、この発明の防護柵は、上記実施形態に限定されるものではない。例えば、落石等の危険がある斜面の幅が狭く、主ネット体２４〜２８の幅で十分に対応できるときは、図１、図１１のサイドネット体３６，３８を省略することができ、同様に、図９の主ネット体８０，８２を省略することができる。
【００５０】
また、各ネット体を支柱に取り付ける構造は、図６〜図８で説明した取り付け構造に限定されず、公知の取り付け構造を自由に使用することができる。また、主ネット体等の上端部が垂れないようにするための上ワイヤを設ける場合、例えば主ネット体等が軽量であれば、上金属ワイヤ６２（２）と上ロープ６６とを組み合わせた上ワイヤ７２に代えて、上金属ワイヤのみで成る上ワイヤや、上ロープのみで成る上ワイヤを使用し、取り付け構造を簡単化することも可能である。
【００５１】
また、支柱の長さや本数、支柱を立設する間隔、各ネット体の網目サイズ、外形寸法や枚数についても特に限定されず、施工する現場の地形、受け止める対象物（石、土砂、雪）等に鑑みて、自由に設定することができる。
【符号の説明】
【００５２】
１０，７４，８６  防護柵
１２  斜面
１４  平地面
１６，１８，２０，２２，７６，７８  支柱
１６ａ，１８ａ，２０ａ，２２ａ，７６，７８  上側部
１６ｂ，１８ｂ，２０ｂ，２２ｂ，７６ｂ，７８ｂ  下端部
２４，２６，２８，８０，８２  主ネット体
２４ａ，２６ａ，２８ａ，８０ａ，８２ａ  上側領域
２４ｂ，２６ｂ，２８ｂ，８０ｂ，８２ｂ  下側領域
３０，４０  アンカー
３２  粗目ネット
３４  細目ネット
３６，３８  サイドネット体
３６ａ，３８ｂ  上側領域
３６ｂ，３８ｂ  地面側領域
４２  サイド粗目ネット
４４  サイド細目ネット
６２（１），６２（３）  縦金属ワイヤ
６２（２）  上金属ワイヤ
６４，６８，７０  縦ロープ
６６  上ロープ
７２  上ワイヤ
８８，９０，９２  正面ネット体
９４  正面粗目ネット
９６  正面細目ネット
【図１】
0005670927.tif 000002
【図２】
0005670927.tif 000003
【図３】
0005670927.tif 000004
【図４】
0005670927.tif 000005
【図５】
0005670927.tif 000006
【図６】
0005670927.tif 000007
【図７】
0005670927.tif 000008
【図８】
0005670927.tif 000009
【図９】
0005670927.tif 000010
【図１０】
0005670927.tif 000011
【図１１】
0005670927.tif 000012
【図１２】
0005670927.tif 000013